(57)【要約】【課題】工具を極力使用せずに設備に脚部材等の付属部品を取り付ける。【解決手段】取付具は、リップ溝部を備えた設備を支持する付属部品を取り付けるためのものである。取付具は、リップ溝部の深さ寸法よりも薄くかつリップ溝部に沿って長い板状に形成された板部と、板部の長手方向の両端部側でかつ板部の幅方向に対して一方の側縁部寄りと他方の側縁部寄りとに設けられ板部に対して直角方向に突出した１対の突出部と、を備える。板部をリップ溝部内に挿入し、板部の幅方向に対して突出部と反対側にある板部の角部をリップ溝部の幅方向における側壁部に当てた場合に、板部の一部がリップ溝部の開口部の周囲部分に係止されかつ１対の突出部の中心間を結ぶ線がリップ溝部の延伸方向と平行になる。【選択図】図１
2018048446.tif 000002
【特許請求の範囲】
【請求項１】
リップ溝部を備えた設備に付属部品を取り付けるための取付具であって、
前記リップ溝部の深さ寸法よりも薄くかつ前記リップ溝部に沿って長い板状に形成された板部と、
前記板部の長手方向の両端部側でかつ前記板部の幅方向に対して一方の側縁部寄りと他方の側縁部寄りとに設けられ前記板部に対して直角方向に突出した１対の突出部と、を備え、
前記板部を前記リップ溝部内に挿入し、前記板部の幅方向に対して前記突出部と反対側にある前記板部の角部を前記リップ溝部の幅方向における側壁部に当てた場合に、前記板部の一部が前記リップ溝部の開口部の周囲部分に係止されかつ１対の前記突出部の中心間を結ぶ線が前記リップ溝部の延伸方向と平行になる、
取付具。
【請求項２】
前記板部における前記突出部と反対側の面に設けられた弾性変形可能な弾性部材を更に備えている、
請求項１に記載の取付具。
【請求項３】
リップ溝部を備えたパーティションに取り付けられて前記パーティションを支持する支持脚装置であって、
前記リップ溝部に挿入される請求項１又は２に記載の取付具と、
前記パーティションに取り付けられる付属部品であって前記取付具の前記突出部が挿入される１対の穴部を有する脚部材と、
前記脚部材の前記穴部に通された前記突出部と係合し前記取付具との間で前記脚部材を挟持する係合部材と、
を備える支持脚装置。
【請求項４】
リップ溝部と、
請求項３に記載の支持脚装置と、
を備えるパーティション。
【発明の詳細な説明】
【技術分野】
【０００１】
本発明の実施形態は、取付具、支持脚装置、及びパーティションに関する。
【背景技術】
【０００２】
従来、例えばパーティション等のように自立させて使用する設備等においては、その自立を安定させるために脚部材等の付属部品が取り付けられることがある。例えば図１８に示すような従来構成のパーティション９０において、脚部材９１及びパーティション９０の枠体９２には、相互に対応する貫通穴９２１が予め形成されている。そして、パーティション９０の一方の面側から脚部材９１及び枠体９２の貫通穴９２１にボルト９３を通して他方の面側へ突出させ、そのボルト９３をナット９４で締結する。これにより、脚部材９１と枠体９２とは、ボルト９３とナット９４によって挟まれて固定される。
【０００３】
この場合、ユーザは、例えば一方の面側においてはスパナやドライバー等を用いてボルト９３を回し、他方の面側においてはスパナを用いてナット９４の回転を止める作業をする必要がある。このように、ボルト９３とナット９４を締結するためには、スパナやレンチ、ドライバー等の工具が必要となる。しかしながら、パーティション９０等の設備を使用するユーザが、必ずしもこれらの工具を所持しているとは限らず、当該設備のためだけに工具を準備することは大変な手間である。
【先行技術文献】
【特許文献】
【０００４】
【特許文献１】特開２００６−３２８８８０号公報
【発明の概要】
【発明が解決しようとする課題】
【０００５】
そこで、工具を極力使用せずに設備に脚部材等の付属部品を取り付けることができる取付具、この取付具を用いた支持脚装置、及びこの支持脚装置を用いたパーティションを提供する。
【課題を解決するための手段】
【０００６】
実施形態の取付具は、リップ溝部を備えた設備に付属部品を取り付けるためのものである。取付具は、前記リップ溝部の深さ寸法よりも薄くかつ前記リップ溝部に沿って長い板状に形成された板部と、前記板部の長手方向の両端部側でかつ前記板部の幅方向に対して一方の側縁部寄りと他方の側縁部寄りとに設けられ前記板部に対して直角方向に突出した１対の突出部と、を備える。前記板部を前記リップ溝部内に挿入し、前記板部の幅方向に対して前記突出部と反対側にある前記板部の角部を前記リップ溝部の幅方向における側壁部に当てた場合に、前記板部の一部が前記リップ溝部の開口部の周囲部分に係止されかつ１対の前記突出部の中心間を結ぶ線が前記リップ溝部の延伸方向と平行になる。
【０００７】
また、実施形態の支持脚装置は、リップ溝部を備えたパーティションに取り付けられて前記パーティションを支持するものである。支持脚装置は、前記リップ溝部に挿入される前記取付具と、前記パーティションに取り付けられる付属部品であって前記取付具の前記突出部が挿入される１対の穴部を有する脚部材と、前記脚部材の前記穴部に通された前記突出部と係合し前記取付具との間で前記脚部材を挟持する係合部材と、を備える。
【０００８】
そして、実施形態のパーティションは、リップ溝部と、上記した支持脚装置と、を備える。
【図面の簡単な説明】
【０００９】
【図１】一実施形態によるパーティションを示す斜視図
【図２】一実施形態によるパーティションについて、図１の右下部を拡大して示す図
【図３】一実施形態による支持脚装置の構成の一例を示す分解斜視図
【図４】一実施形態による取付具を示すもので、（Ａ）は正面図、（Ｂ）は側面図
【図５】一実施形態によるパーティションについて、支持脚装置周辺の構成を示す断面図
【図６】一実施形態について、図５のＸ６−Ｘ６線に沿って示す断面図
【図７】一実施形態について、図５のＸ７−Ｘ７線に沿って示す断面図
【図８】一実施形態について、取付具の板部をリップ溝部に挿入する前の状態を示す斜視図
【図９】一実施形態について、取付具の板部をリップ溝部に挿入する途中の状態を示す斜視図
【図１０】一実施形態について、図９の状態を正面側から見た図
【図１１】一実施形態について、取付具の板部をリップ溝部に挿入した状態を示す斜視図
【図１２】一実施形態について、取付具の板部をリップ溝部に挿入し更に取付具を回転させた後の状態を示す斜視図
【図１３】一実施形態について、図１２の状態を正面側から見た図
【図１４】一実施形態について、取付具に対して脚部材及び係合部材を取り付ける際の状態を示す分解斜視図
【図１５】取付具の板部の他の例を示すもので、図４（Ａ）に相当する図
【図１６】取付具の板部の他の例を示すもので、図１０に相当する図
【図１７】一実施形態によるパーティションについて、取付具によって取り付けられる付属部品として棚及びフックを適用した例を示す斜視図
【図１８】従来構成の一例を示す斜視図
【発明を実施するための形態】
【００１０】
以下、一実施形態について図面を参照して説明する。図１等に示すパーティション１０は、比較的背丈の低いいわゆるローパーティションであって、オフィス等の室内スペースの間仕切りとして適用されるものである。パーティション１０は、全体として矩形の板状に形成されている。なお、以下の説明では、パーティション１０の厚み方向を、パーティション１０の前後方向とする。また、パーティション１０の設置状態に対して垂直方向すなわち図１の上下方向を、パーティション１０の上下方向とする。そして、パーティション１０の面方向でかつ上下方向に対して直角方向を、パーティション１０の左右方向とする。
【００１１】
パーティション１０は、図１等に示すように、パネル１１と、枠体１２と、アジャスタ１３と、を備えている。パネル１１は、例えば樹脂等によって矩形の板状に形成されている。枠体１２は、例えば断面が略矩形状のフレームであって、樹脂製又はアルミ等の金属製である。枠体１２は、パネル１１の周縁部を矩形の環状に囲むように設けられている。アジャスタ１３は、枠体１２の左右下端部に設けられており、パーティション１０の設置状態における高さ寸法を調整するためのものである。
【００１２】
枠体１２は、図２、図６、及び図７に示すように、少なくとも前面側にリップ溝部１４を有している。リップ溝部１４は、枠体１２の左右の側縁部にあって、パーティション１０の上端部から下端部の略全体に亘って上下方向に延びるようにして設けられている。リップ溝部１４は、いわゆるＣ溝構造である。すなわち、図６及び図７に示すように、リップ溝部１４の長手方向に対して直角方向すなわち水平方向に切断した断面が、前方へ向けてＣ字状に開口した溝形状に形成されている。この場合、図５及び図６に示すように、リップ溝部１４の深さ寸法をＤとする。また、図６に示すように、リップ溝部１４の幅寸法をＷａとし、リップ溝部１４の開口部１４１における開口寸法をＷｂとする。
【００１３】
パーティション１０は、図２にも示すように、支持脚装置２０を備えている。支持脚装置２０は、パーティション１０の枠体１２に取り付けられて、パーティション１０の自立を安定させるためのものである。支持脚装置２０は、図３に示すように、取付具３０と、脚部材４０と、係合部材５０と、を備えている。
【００１４】
取付具３０は、図４に示すように、板部３１と、１対の突出部３２と、弾性部材３３と、を有している。板部３１は、リップ溝部１４に沿って長い板状、この場合、全体として上下方向に長い略矩形の板状に形成されている。また、板部３１の厚み寸法は、図５〜図７に示すリップ溝部１４の深さ寸法Ｄよりも薄い。
【００１５】
板部３１は、図４に示すように、２つの切り欠き部３１１を有している。２つの切り欠き部３１１のうち一方は、図４（Ａ）の二点鎖線で示すように、上下方向に長い長方形状の板において、その板の上部寄り部分における左右方向の一方側縁部を切り欠くようにして形成されている。また、２つの切り欠き部３１１のうち他方は、図４（Ａ）の二点鎖線で示すように、上下方向に長い長方形状の板において、その板の下部寄り部分における左右方向の他方側縁部を切り欠くようにして形成されている。
【００１６】
この場合、切り欠き部３１１部分における板部３１の幅寸法をＷ１とする。また、切り欠き部３１１部分以外における板部３１の幅寸法をＷ２とする。この場合、切り欠き部３１１部分における板部３１の幅寸法Ｗ１は、板部３１における最小幅寸法であり、切り欠き部３１１部分以外における板部３１の幅寸法Ｗ２は、板部３１における最大幅寸法である。本実施形態の場合、最小幅寸法Ｗ１及び最大幅寸法Ｗ２は、いずれもリップ溝部１４の開口寸法Ｗｂよりも大きく、かつ、リップ溝部１４の幅寸法Ｗａよりも小さく設定されている。
【００１７】
また、板部３１において、上側の切り欠き部３１１によって形成される角部を上側角部３１２とし、下側の切り欠き部３１１によって形成される角部を下側角部３１３とする。この場合、上側角部３１２と下側角部３１３とは、板部３１において相互に対角となる位置に設けられている。
【００１８】
突出部３２は、２つで１対を構成している。２つの突出部３２は、それぞれ板部３１の長手方向の両端部側でかつ板部３１の幅方向に対して一方の側縁部寄りと他方の側縁部寄りとに設けられている。本実施形態の場合、２つの突出部３２のうち一方は、板部３１の上端部側でかつ上側の切り欠き部３１１とは反対側つまり左側縁部寄りに設けられている。また、２つの突出部３２のうち他方は、板部３１の下端部側でかつ下側の切り欠き部３１１とは反対側つまり右側縁部寄りに設けられている。すなわち、２つの突出部３２は、板部３１の幅方向の中心に対して板部３１の幅方向に偏心するように設けられている。
【００１９】
この場合、上側の突出部３２と下側の突出部３２とは、板部３１において相互に対角となる位置に設けられている。突出部３２は、円柱状に形成されて、板部３１に対して直角方向に突出している。本実施形態の場合、突出部３２の外周面には雄ねじが形成されている。そのため、本実施形態の場合、突出部３２は、雄ねじ部と称することもできる。この場合、突出部３２は、突出部３２の全体に亘って雄ねじが形成されたいわゆる全ねじ形状に形成されている。そして、突出部３２は、例えば溶接等によって板部３１に接合されている。
【００２０】
弾性部材３３は、例えばフェルトやスポンジ等、弾性を有する薄板状の部材である。弾性部材３３は、板部３１において突出部３２とは反対側の面に設けられている。弾性部材３３は、板部３１がリップ溝部１４内に挿入された場合において、板部３１がリップ溝部１４の底部１４２に直接触れて、板部３１とリップ溝部１４の底部１４２とが削れてしまうことを抑制する機能を有する。
【００２１】
また、この場合、板部３１の厚み寸法と弾性部材３３の厚み寸法との合計は、リップ溝部１４の深さ寸法Ｄよりも大きく設定されている。すなわち、板部３１がリップ溝部１４内に挿入された場合において、弾性部材３３は、弾性変形することにより、板部３１をリップ溝部１４の開口部側の周囲部分１４３に押し付けて隙間を無くすように調整する機能を有する。
【００２２】
脚部材４０は、パーティション１０の枠体１２に取り付けられる付属部品の一例である。脚部材４０は、図３に示すように、例えば帯状の鋼板等を折り曲げることで、取付部４１と接地部４２と接続部４３とを一体に形成されている。接続部４３は、取付部４１と接地部４２とを接続している。取付部４１は、リップ溝部１４の延伸方向すなわち上下方向に長い矩形の板状に形成されている。取付部４１の幅寸法は、リップ溝部１４の開口部１４１の幅寸法Ｗｂよりも大きい。
【００２３】
取付部４１は、１対の穴部４１１と、２つの規制部４１２と、を有している。穴部４１１は、取付具３０の突出部３２に対応しており、取付部４１を厚み方向に円形に貫いて形成されている。穴部４１１の内径寸法は、突出部３２の外径寸法よりもやや大きく設定されている。この場合、穴部４１１は、取付部４１の幅方向における中心にあって、上下方向に沿って配置されている。すなわち、２つの穴部４１１は、取付部４１の幅方向の中心を上下方向に通る中心線上に設けられている。また、２つの穴部４１１の中心間の距離は、２つの突出部３２の中心間の距離に略等しい。
【００２４】
２つの規制部４１２は、脚部材４０を枠体１２に取り付けた場合において、脚部材４０の回転を規制するためのものである。規制部４１２は、図５及び図６に示すように、取付部４１の一部をリップ溝部１４内へ向かって円形に突出させて形成されている。２つの規制部４１２のうち一方は、取付具３０の上方に位置するように設けられている。２つの規制部４１２のうち他方は、取付具３０の下方に位置するように設けられている。図６に示すように、規制部４１２の外径寸法は、リップ溝部１４の開口部１４１における開口寸法Ｗｂよりも若干小さい。このため、規制部４１２は、開口部１４１の内側に挿入可能となっている。そして、脚部材４０が枠体１２に取り付けられた状態において、規制部４１２は、開口部１４１の周囲に係止され、これにより脚部材４０の回転が規制される。
【００２５】
図３に示すように、接地部４２は、取付部４１に対して直角方向へ延びるように形成されている。すなわち、接地部４２は、取付部４１の幅方向の中心線すなわち２つの穴部４１１の中心間を結ぶ線に対して、直角方向へ延びるように形成されている。脚部材４０が枠体１２に取り付けられた状態において、接地部４２全体が設置面と接触する。これにより、パーティション１０の自立が安定化される。
【００２６】
係合部材５０は、突出部３２が通されて突出部３２と係合可能な部材である。係合部材５０の外周面には、溝状の滑り止め加工が施されている。そのため、ユーザは、工具を用いることなく係合部材５０を操作して、係合部材５０と突出部３２とを係合させることができる。本実施形態の場合、係合部材５０は、内部に雌ねじが形成されたいわゆるローレットナットであり、突出部３２がねじ込まれる。
【００２７】
この構成において、支持脚装置２０をパーティション１０の枠体１２に取り付ける際、ユーザは、まず、図８から図９にかけて示すように、例えば取付具３０の幅方向の一方の側縁部をリップ溝部１４にはめ込む。このとき、ユーザは、１対の突出部３２が垂直方向に並ぶ方向へ取付具３０を若干傾ける。例えばユーザは、図１０に示すように、取付具３０を右方向へ傾ける。すると、取付具３０の右側縁部全体が、リップ溝部１４の開口部１４１と干渉しないようになる。これにより、取付具３０に板部３１は、リップ溝部１４に挿入可能になる。
【００２８】
そして、ユーザは、取付具３０をリップ溝部１４側へ押し込んで、取付具３０の板部３１をリップ溝部１４内に挿入する。次に、ユーザは、１対の突出部３２が垂直方向に並ぶ方向へ取付具３０を更に傾ける。例えばユーザは、図１２及び図１３に示すように、板部３１の上側角部３１２をリップ溝部１４の右側壁部１４４に当て、かつ、下側角部３１３をリップ溝部１４の左側壁部１４５に当てるように、取付具３０を右方向へ更に傾ける。すると、図７及び図１３に示すように、板部３１の一部がリップ溝部１４の開口部１４１の周囲部分１４３に係止される。これにより、取付具３０は、リップ溝部１４の開口部１４１から抜け落ちないようになる。
【００２９】
また、この場合、板部３１の角部３１２、３１３は、リップ溝部１４の左右側壁部１４４、１４５に係止されている。つまり、板部３１の角部３１２、３１３は、リップ溝部１４の左右側壁部１４４、１４５に挟持されている。このため、取付具３０は、リップ溝部１４に沿って落下し難くなる。
【００３０】
更に、この状態において、突出部３２の中心間を結ぶ線は、リップ溝部１４の延伸方向と平行になる。すなわち、この状態において、突出部３２の中心間を結ぶ線と、リップ溝部１４の幅方向の中心を通って上下方向へ延びる中心線とが、略一致する。そして、ユーザは、取付部４１の穴部４１１に突出部３２を通し、穴部４１１から突出した突出部３２を係合部材５０にねじ込む。これにより、取付具３０と係合部材５０との間に、リップ溝部１４と取付部４１とが挟持され、その結果、脚部材４０が枠体１２に取り付けられる。
【００３１】
この場合、突出部３２の中心間を結ぶ線は、取付部４１の２つの穴部４１１の中心を結ぶ線と略一致する。そして、接地部４２は、取付部４１の２つの穴部４１１の中心を結ぶ線に対して直角に配置されていることから、接地部４２は、取付部４１に対して直角に配置される。すなわち、接地部４２は、枠体１２つまりパーティション１０に対して直角に配置される。これにより、接地部４２とパーティション１０の設置面とを平行にすることができ、その結果、パーティション１０の自立が安定化される。
【００３２】
以上説明した実施形態によれば、パーティション１０は、リップ溝部１４を有する枠体１２と、支持脚装置２０と、を備える。支持脚装置２０は、取付具３０と、付属部品としての脚部材４０と、係合部材５０と、を備える。取付具３０は、板部３１と、１対の突出部３２と、を有する。板部３１は、リップ溝部１４の深さ寸法Ｄよりも薄くかつリップ溝部１４に沿って長い板状に形成されている。突出部３２は、板部３１の長手方向の両端部側でかつ板部３１の幅方向に対して一方の側縁部寄りと他方の側縁部寄りとに設けられ、板部３１に対して直角方向に突出している。
【００３３】
そして、板部３１をリップ溝部１４内に挿入し、板部３１の上下角部３１２、３１３をリップ溝部１４の左右側壁部１４４、１４５に当てた場合に、板部３１の一部がリップ溝部１４の開口部１４１の周囲部分１４３に係止され、かつ、突出部３２の中心間を結ぶ線がリップ溝部１４の延伸方向と平行になるように、２つの突出部３２は配置されている。
【００３４】
また、脚部材４０は、取付部４１に形成された１対に穴部４１１を有する。１対の穴部４１１は、取付具３０の突出部３２に対応して設けられ、突出部３２が挿入可能である。そして、係合部材５０は、脚部材４０の穴部４１１に通された突出部３２と係合し取付具３０との間で脚部材４０を挟持する。
【００３５】
これによれば、ユーザは、取付具３０をリップ溝部１４に挿入した後若干回転させた状態で、脚部材４０の穴部４１１に突出部３２を挿入し、その後、係合部材５０を突出部３２にねじ込むことで、脚部材４０を枠体１２に固定させることができる。この場合、ユーザは、スパナやレンチ、ドライバー等の工具を使用せずに、手で係合部材５０を扱って、支持脚装置２０の取付対象となる設備であるパーティション１０に脚部材４０を取り付けることができ、その結果、利便性の向上が図られる。
【００３６】
この場合、突出部３２は、パーティション１０に対して脚部材４０が取り付けられる側、例えば図１では前方へ突出しており、パーティション１０の厚み方向には貫通していない。そのため、ユーザは、脚部材４０が取り付けられる側の面、例えば図１ではパーティション１０の前面側から、係合部材５０を締め付ける作業が行える。すなわち、ユーザは、パーティション１０の背面に手を回して作業する必要がない。したがって、この構成によれば、作業性の更なる向上が図られる。
【００３７】
ここで、例えばパーティション１０を複数枚連結した後で支持脚装置２０をパーティション１０に取り付ける場合、１人のユーザではパーティション１０の前面側と背面側とに手を回すことが困難である。そのため、この場合、従来構成では、少なくとも２人のユーザが、パーティション１０の前面側と背面側とに別れて協働して作業する必要がある。しかし、本実施形態によれば、支持脚装置２０をパーティション１０に取り付ける際に、パーティション１０の前面側と背面側とに手を回すことなく、パーティション１０の前面側において作業を完結させることができる。そのため、パーティション１０を複数枚連結した場合であっても、支持脚装置２０の取り付けを１人のユーザで行えることでき、その結果、作業性の向上が図られる。
【００３８】
取付具３０は、弾性変形可能な弾性部材３３を有している。弾性部材３３は、板部３１における突出部３２と反対側の面に設けられている。これによれば、取付具３０の板部３１は、弾性部材３３が弾性変形することによって、リップ溝部１４の開口部側の周囲部分１４３に密着するように押し付けられる。これによれば、取付具３０と係合部材５０との間に、脚部材及びリップ溝部１４の開口部１４１側の周囲部分１４３をより強固に挟持することができる。したがって、脚部材４０を、より強固に枠体１２に固定させることができる。
【００３９】
なお、本発明の実施形態は、上記し且つ図面に記載した各実施形態に限定されるものではなく、発明の要旨を逸脱しない範囲において適宜変更することができる。本発明の実施形態は、例えば次のような変形または拡張が可能である。
例えば、支持脚装置２０の取付対象は、パーティション１０に限られない。支持脚装置２０及び取付具３０は、リップ溝部を供えるものであって自立させて使用する設備全般に適用することができる。
また、突出部３２と係合部材５０とは、雄ねじと雌ねじとの関係に限定されない。例えば、突出部３２と係合部材５０とは、着脱可能であって相互に係止される関係であれば良い。例えば、突出部３２と係合部材５０とは、いわゆるスナップフィットを構成しても良い。
【００４０】
また、板部３１は、必ずしも切り欠き部３１１を有する必要はない。例えば図１５に示すように、取付具３０は、板部３１に換えて、板部３４を備えていても良い。板部３４は、幅寸法をＷ３とし、リップ溝部１４の延伸方向に長い長方形状に形成されており、切り欠き部３１１を有していない。板部３４の幅寸法Ｗ３は、板部３１の幅寸法Ｗ１、Ｗ２よりも小さい。
【００４１】
この構成によっても、上述した板部３１を備える構成と同等の作用効果が得られる。しかしながら、図１５に示す板部３４は、幅寸法Ｗ３が、板部３１の幅寸法Ｗ１よりも小さい。そのため、突出部３２と板部３４とを溶接によって接合する場合においては、板部３４における溶接しろを十分に確保できない可能性がある。そのため、突出部３２と板部３４とを溶接によって接合する場合には、図１５に示す板部３４よりも、上記実施形態による板部３１の方が、溶接しろを確保し易い点において有利である。
【００４２】
更に、板部３４は、図１６に示すように、板部３４をリップ溝部１４内に挿入し、上下の角部３４１、３４２をリップ溝部１４の左右側壁部１４４、１４５に当たるまで回転させた状態において、リップ溝部１４の開口部１４１の周囲部分１４３に係止される板部３４の面積は、板部３１の場合よりも小さい。そのため、図１５に示す板部３４よりも、上記実施形態による板部３１の方が、リップ溝部１４の開口部１４１の周囲部分１４３に係止される面積を大きく確保することができる。したがって、図１５に示す板部３４よりも、上記実施形態による板部３１の方が、取付具３０と係合部材５０との間において、リップ溝部１４と取付部４１とをより強固に挟持することができる点で有利である。
【００４３】
また、取付具３０によってパーティション１０の枠体１２に取り付けることができる付属部品は、脚部材４０に限られない。取付具３０は、図１７に示すように、例えば棚６０やフック７０等の付属部品をパーティション１０の枠体１２に取り付ける場合にも適用することができる。
【符号の説明】
【００４４】
図面中、１０はパーティション、１２は枠体、１４はリップ溝部、１４１は開口部、１４３は開口部の周囲部分、１４４は右側壁部（側壁部）、１４５は左側壁部（側壁部）、２０は支持脚装置、３０は取付具、３１は板部、３１２は上側角部（角部）、３１３は下側角部（角部）、３２は突出部、３３は弾性部材、４０は脚部材（付属部品）、４１１は穴部、５０は係合部材、を示す。
【図１】
2018048446.tif 000003
【図２】
2018048446.tif 000004
【図３】
2018048446.tif 000005
【図４】
2018048446.tif 000006
【図５】
2018048446.tif 000007
【図６】
2018048446.tif 000008
【図７】
2018048446.tif 000009
【図８】
2018048446.tif 000010
【図９】
2018048446.tif 000011
【図１０】
2018048446.tif 000012
【図１１】
2018048446.tif 000013
【図１２】
2018048446.tif 000014
【図１３】
2018048446.tif 000015
【図１４】
2018048446.tif 000016
【図１５】
2018048446.tif 000017
【図１６】
2018048446.tif 000018
【図１７】
2018048446.tif 000019
【図１８】
2018048446.tif 000020